(57)【要約】【課題】軽量化に有利な照明器具を提供する。【解決手段】照明器具１０は、光源１２が長手方向に配列されている基板１４ａと、基板１４ａを取り付ける基板取付部材１６と、基板取付部材１６を接触保持するカバー１８とを備える。基板１４ａは、長手方向の端部に隣設された貫通孔１４１を有する。基板取付部材１６は、基板１４の貫通孔１４１を含む一部の領域に接触する。また、基板取付部材１６は、貫通孔１４１に係合して基板１４ａの離脱を抑止する止めピン３２ａを有してもよい。【選択図】図２
2019061764.tif 000002
【特許請求の範囲】
【請求項１】
光源が長手方向に配列されている基板と、
前記基板を取り付ける基板取付部材と、
前記基板取付部材を接触保持するカバーと、
を備え、
前記基板は、長手方向の端部に隣設された貫通孔を有し、
前記基板取付部材は、前記基板の前記貫通孔を含む一部の領域に接触する、
照明器具。
【請求項２】
前記基板取付部材は、前記貫通孔に係合して前記基板の離脱を抑止する止めピンを有する請求項１に記載の照明器具。
【請求項３】
前記基板は、第１の基板と、第２の基板とを含み、
前記基板取付部材は、
前記第１の基板に形成されている前記貫通孔に係合して前記基板の離脱を抑止する第１の止めピンと、
前記第２の基板に形成されている前記貫通孔に係合して前記基板の離脱を抑止する第２の止めピンと、を有し、
前記第１の基板と前記第２の基板とを長手方向に連結する、
請求項１に記載の照明器具。
【請求項４】
前記基板取付部材は、前記基板を取り付ける表面上に、前記基板の長手方向に沿って立設し、前記貫通孔に前記止めピンが係合しているときに前記基板の側部に内壁が対向する壁部を有する請求項２又は３に記載の照明器具。
【請求項５】
前記基板取付部材は、前記第１の止めピンと前記第２の止めピンとに挟まれた領域を横切る切り欠き部を有する請求項３又は４に記載の照明器具。
【発明の詳細な説明】
【技術分野】
【０００１】
本開示は、照明器具に関する。
【背景技術】
【０００２】
従来、複数のＬＥＤ（発光ダイオード）を実装したＬＥＤ基板を備えた、全体として細長い形状の照明器具がある。特許文献１は、複数のＬＥＤが長手方向に沿って所定の間隔を隔ててＬＥＤ基板上に実装された直管型の照明器具を開示している。長手方向に延伸するＬＥＤ基板は、ヒートシンクに取り付けられ、当該ヒートシンクを介して、直管状のカバーに固定されている。
【先行技術文献】
【特許文献】
【０００３】
【特許文献１】特開２０１４−３００９号公報
【発明の概要】
【発明が解決しようとする課題】
【０００４】
特許文献１に開示されている照明器具では、放熱作用を有するヒートシンクが、ＬＥＤ基板を取り付けるための基板取付部材としても機能する。このとき、基板取付部材は、ＬＥＤ基板の裏面全体に接するものとされていることから、基板取付部材の全長は、ＬＥＤ基板の全長に合うように構成されている。そのため、基板取付部材の重量は、照明器具全体の重量のうち大きな比率を占めており、照明器具の軽量化への妨げとなっている。
【０００５】
本開示は、このような従来技術の有する課題に鑑みてなされたものである。そして、本開示の目的は、例えば、軽量化に有利な照明器具を提供することにある。
【課題を解決するための手段】
【０００６】
上記課題を解決するために、本開示の態様に係る照明器具は、光源が長手方向に配列されている基板と、基板を取り付ける基板取付部材と、基板取付部材を接触保持するカバーと、を備え、基板は、長手方向の端部に隣設された貫通孔を有し、基板取付部材は、基板の貫通孔を含む一部の領域に接触する。
【発明の効果】
【０００７】
本開示によれば、軽量化に有利な照明器具を提供することができる。
【図面の簡単な説明】
【０００８】
【図１】本開示の実施形態に係る照明器具の外観を示す図である。
【図２】本開示の実施形態に係る照明器具の内部構成を示す図である。
【図３】図２のＩＩＩ−ＩＩＩ断面に対応した、照明器具の断面図である。
【図４】２種類の基板取付部材にＬＥＤ基板を取り付けた状態を示す図である。
【図５】本開示の実施形態における基板取付部材の形状を示す図である。
【図６】本開示の実施形態における基板取付部材の他の形状を示す図である。
【図７】従来の照明器具の内部構成を示す図である。
【発明を実施するための形態】
【０００９】
以下、各実施形態について図面を参照しつつ詳細に説明する。以下の説明では、照明器具の照明方向、具体的には、光源の光射出面に対して垂直な方向をＺ方向と規定する。また、Ｚ方向に対して垂直となる平面内で互いに垂直となるＸ方向及びＹ方向を規定し、このうち、照明器具の長手方向をＸ方向と規定する。
【００１０】
まず、本実施形態に係る照明器具の構成について説明する。図１は、本開示の一実施形態に係る照明器具１０の外観を示す斜視図である。照明器具１０は、屋内外を問わず使用可能で、光射出面が細長く、全体としても細長い形状の照明器具である。特に、照明器具１０は、食料品や飲料品を取り扱う店舗等で用いられる冷蔵・冷凍ショーケース等に採用可能である。
【００１１】
照明器具１０は、外部から視認可能な構成として、ＬＥＤ基板等を内部に収容するカバー１８と、カバー１８の一端を覆う第１蓋部２０と、カバー１８の他端を覆う第２蓋部２２とを備える。
【００１２】
カバー１８は、直管形状を有し、樹脂等の透光性の材料から形成される。なお、カバー１８の具体的形状、特に断面形状については後述する。カバー１８は、内部のＬＥＤから発せられた光を外部に透過可能とし、光射出面として照明器具１０の外観を構成する。また、照明器具１０が冷蔵・冷凍ショーケースに設置される場合には、カバー１８は、ＬＥＤ基板等の構成要素を冷気から保護する。
【００１３】
第１蓋部２０及び第２蓋部２２は、樹脂等の材料から形成され、カバー１８に対して取り付け及び取り外し自在である。一方の蓋部、例えば第１蓋部２０には、外部の電源に接続される電気配線２４が取り付けられる。電気配線２４の一端は、カバー１８又は第１蓋部２０の内部でＬＥＤ基板に接続される。
【００１４】
図２は、照明器具１０の内部構成を示す斜視図である。図２では、図１に示す照明器具１０の使用状態に代えて、第１蓋部２０からカバー１８を長手方向に引き抜いた照明器具１０の分解状態を示している。また、図３は、図２中に示されるＩＩＩ−ＩＩＩ断面に対応した、照明器具１０の断面図である。
【００１５】
照明器具１０は、内部構成として、ＬＥＤ基板と、基板取付部材１６とを備える。ここで、ＬＥＤ基板は、複数存在してもよい。そこで、照明器具１０には、少なくとも第１ＬＥＤ基板１４ａと第２ＬＥＤ基板１４ｂ（図４参照）との２つのＬＥＤ基板が含まれるものとする。なお、第１ＬＥＤ基板１４ａと第２ＬＥＤ基板１４ｂとは、それぞれ同一形状及び同一構成である。そこで、形状及び構成については、以下、第１ＬＥＤ基板１４ａを例に説明する。
【００１６】
第１ＬＥＤ基板１４ａは、長手方向に延伸する基板である。第１ＬＥＤ基板１４ａの表面１４０上には、光源としての複数のＬＥＤ１２が、長手方向に沿って所定の間隔を隔てて実装されている。なお、本実施形態では、光源の一例としてＬＥＤを採用するが、ＬＥＤ以外の発光素子を採用することも可能である。また、表面１４０上には、複数のＬＥＤ１２が長手方向に沿って一列に配列されているものとしているが、長手方向に沿って並列に配列されているものとしてもよい。
【００１７】
また、第１ＬＥＤ基板１４ａは、長手方向のそれぞれの端部１４２，１４３の近傍に、表面１４０と裏面１４８との間を貫通する貫通孔１４１を有する。貫通孔１４１は、例えば、ＬＥＤ１２の配列に合い、いずれかの隣り合うＬＥＤ１２同士の中間位置に形成されている。
【００１８】
基板取付部材１６は、第１ＬＥＤ基板１４ａ及び第２ＬＥＤ基板１４ｂの双方又は一方を取付可能とし、カバー１８に接触保持される。本実施形態では、基板取付部材１６は、第１基板取付部材１６ａと、第２基板取付部材１６ｂとの２種類が存在する。
【００１９】
図４は、第１基板取付部材１６ａ及び第２基板取付部材１６ｂに、第１ＬＥＤ基板１４ａ又は第２ＬＥＤ基板１４ｂを取り付けた状態を示す斜視図である。
【００２０】
第１基板取付部材１６ａは、第１ＬＥＤ基板１４ａ及び第２ＬＥＤ基板１４ｂのそれぞれを取付可能とする。つまり、第１基板取付部材１６ａは、第１ＬＥＤ基板１４ａの端部１４３と、第２ＬＥＤ基板１４ｂの端部１４４とを近接させた状態でそれぞれ取り付けることで、第１ＬＥＤ基板１４ａと第２ＬＥＤ基板１４ｂとを直列に連結させるための基板連結部材とも言える。すなわち、照明器具１０では、複数の第１基板取付部材１６ａを用いれば、第１ＬＥＤ基板１４ａ及び第２ＬＥＤ基板１４ｂのみならず、３つ以上のＬＥＤ基板を直列に連結させることができる。
【００２１】
第２基板取付部材１６ｂは、第１蓋部２０又は第２蓋部２２のいずれかに最も接近するＬＥＤ基板を取付可能とする。ここで、図２及び図４を参照すると、第１蓋部２０に最も接近するＬＥＤ基板は、第１ＬＥＤ基板１４ａである。このとき、第２基板取付部材１６ｂは、第１ＬＥＤ基板１４ａにおける第１蓋部２０側の端部１４２の近傍を取り付ける。すなわち、照明器具１０には、第１蓋部２０に近接しているＬＥＤ基板の端部の取り付けと、第２蓋部２２に近接しているＬＥＤ基板の端部の取り付けとのそれぞれを役割とする２つの第２基板取付部材１６ｂが存在することになる。
【００２２】
図５は、基板取付部材１６の形状を示す斜視図である。
【００２３】
図５（ａ）は、第１基板取付部材１６ａの形状を示す図である。第１基板取付部材１６ａは、全体として、長手方向の長さＬ１、幅Ｗ２及び厚さＴで表される板体であり、樹脂等の材料から形成される。第１基板取付部材１６ａは、その表面３０ａ上に、第１止めピン３２ａ及び第２止めピン３２ｂの２つの止めピンと、第１壁部３６ａ及び第２壁部３６ｂを含む第１規制部材と、第１壁部３８ａ及び第２壁部３８ｂを含む第２規制部材とを有する。
【００２４】
第１止めピン３２ａは、図４に示すように、第１ＬＥＤ基板１４ａに形成されている、端部１４３側の貫通孔１４１に係合する。図３を参照すると、第１止めピン３２ａは、表面３０ａから立設する軸部３２ａ１と、軸部３２ａ１の先端部に互いに向かい合うように連接された２つの爪部３２ａ２，３２ａ３とを有する。この構造によれば、貫通孔１４１に第１止めピン３２ａを係合させるときには、２つの爪部３２ａ２，３２ａ３は、貫通孔１４１の開口径に合わせて互いに近接するように変形しながら、貫通孔１４１内を進行する。そして、第１基板取付部材１６ａの表面３０ａと第１ＬＥＤ基板１４ａの裏面１４８とが接触したときには、２つの爪部３２ａ２，３２ａ３は、完全に貫通孔１４１を通過し、元の形状に戻る。これにより、第１ＬＥＤ基板１４ａの第１基板取付部材１６ａからの離脱が抑止される。
【００２５】
第２止めピン３２ｂは、図４に示すように、第２ＬＥＤ基板１４ｂに形成されている、端部１４４側の貫通孔１４１に係合する。なお、第２止めピン３２ｂの形状は、第１止めピン３２ａと同一である。
【００２６】
ここで、第１基板取付部材１６ａの表面３０ａ上における、第１止めピン３２ａ及び第２止めピン３２ｂの設置位置は、第１ＬＥＤ基板１４ａ及び第２ＬＥＤ基板１４ｂに予め形成されている貫通孔１４１の位置に依存する。すなわち、当該設置位置は、第１ＬＥＤ基板１４ａ及び第２ＬＥＤ基板１４ｂを第１基板取付部材１６ａに取り付けたときに、図４に示すように、端部１４３又は端部１４４に隣設した貫通孔１４１の位置に合うように決定される。また、第１基板取付部材１６ａの長さＬ１は、貫通孔１４１の位置に基づいて決定された第１止めピン３２ａ及び第２止めピン３２ｂの設置位置に合わせて、最低限必要とされる長さを許容するように規定される。その結果、第１基板取付部材１６ａの長さＬ１は、第１ＬＥＤ基板１４ａ又は第２ＬＥＤ基板１４ｂのいずれの長さよりも短くなる。したがって、第１基板取付部材１６ａは、第１ＬＥＤ基板１４ａ又は第２ＬＥＤ基板１４ｂのいずれに対しても、貫通孔１４１を含む裏面１４８の一部の領域にのみ接触することになり、裏面１４８全体には接触しない。
【００２７】
第１規制部材は、第１止めピン３２ａの軸部３２ａ１を回転軸として第１ＬＥＤ基板１４ａが回転変位することを抑止する。第１規制部材を構成する第１壁部３６ａ及び第２壁部３６ｂは、図３に示すように、互いに向かい合う内壁間の距離Ｗ３が第１ＬＥＤ基板１４ａの幅Ｗ１よりも若干広くなるように設置される。これにより、第１ＬＥＤ基板１４ａが軸部３２ａ１を回転軸として回転しようとしても、第１ＬＥＤ基板１４ａの側部１４５が第１壁部３６ａの内壁に接触するか、又は、第１ＬＥＤ基板１４ａの側部１４６が第２壁部３６ｂの内壁に接触する。したがって、第１ＬＥＤ基板１４ａの大きな回転変位は抑止される。なお、第１壁部３６ａ及び第２壁部３６ｂの長手方向の長さは任意であるが、軽量化等の観点から、可能な限り短い方が望ましい。
【００２８】
第２規制部材は、第２止めピン３２ｂの軸部３２ａ１を回転軸として第２ＬＥＤ基板１４ｂが回転変位することを抑止する。第２規制部材による第２ＬＥＤ基板１４ｂの回転変位の抑止原理は、第１規制部材と同様である。
【００２９】
第１基板取付部材１６ａの幅Ｗ２は、第１に、表面３０ａ上に第１ＬＥＤ基板１４ａ等の裏面１４８と接触する領域を確保するために、第１ＬＥＤ基板１４ａ等の幅Ｗ１よりも大きい。
【００３０】
また、カバー１８は、図３に示すように、変形された環状の断面形状を有する。具体的には、カバー１８は、内部にＬＥＤ１２から照射された光を受ける空間Ｓ１を形成し、外部へ光を拡散させる拡散部１８ａと、第１基板取付部材１６ａを保持する保持部１８ｂとを含む。特に、保持部１８ｂの断面形状は、直管形状のカバー１８に対して、第１ＬＥＤ基板１４ａを取り付けた第１基板取付部材１６ａを単に差し込むことで固定することが可能なように、第１基板取付部材１６ａを摩擦により保持可能とすることが望ましい。そこで、保持部１８ｂは、第１基板取付部材１６ａの表面３０ａに接触する第１突出部１８ｃと、第１基板取付部材１６ａの裏面３０ｂに接触する第２突出部１８ｄとを有する。この構成によれば、カバー１８に差し込まれた後の第１基板取付部材１６ａは、第１突出部１８ｃと第２突出部１８ｄとに挟まれることにより、カバー１８に接触保持される。したがって、第２に、第１基板取付部材１６ａの幅Ｗ２は、第１基板取付部材１６ａの側部１４５，１４６の側に、それぞれ、第１突出部１８ｃと第２突出部１８ｄとに挟まれる領域を確保可能な値とする。
【００３１】
一方、第１基板取付部材１６ａの厚さＴは、第１に、第１ＬＥＤ基板１４ａ等を保持しても破壊しない程度の強度が得られる値とする。また、第２に、第１基板取付部材１６ａの厚さＴは、第１突出部１８ｃと第２突出部１８ｄとで挟むことでカバー１８が接触保持可能な値とする。
【００３２】
また、第１基板取付部材１６ａの長手方向の端部３４，３５の形状は、それぞれ、テーパ状である。この形状により、第１基板取付部材１６ａをカバー１８に差し込む際、第１基板取付部材１６ａが第１突出部１８ｃと第２突出部１８ｄとの間に進入し易くなる。
【００３３】
なお、第１基板取付部材１６ａの裏面３０ｂの形状は、上記のような条件を満たすことができるのであれば、特に限定されない。
【００３４】
図５（ｂ）は、第２基板取付部材１６ｂの形状を示す図である。第２基板取付部材１６ｂは、全体として、長手方向の長さＬ２、幅Ｗ２及び厚さＴで表される板体であり、樹脂等の材料から形成される。第２基板取付部材１６ｂは、その表面４０ａ上に、止めピン４２と、第１壁部４６ａ及び第２壁部４６ｂを含む第１規制部材と、第１壁部４８ａ及び第２壁部４８ｂを含む第２規制部材とを有する。
【００３５】
ここで、第２基板取付部材１６ｂの幅Ｗ２及び厚さＴは、第１基板取付部材１６ａの幅Ｗ２及び厚さＴと同様である。一方、第２基板取付部材１６ｂは、１つのＬＥＤ基板のみを取り付け対象とすることから、第２基板取付部材１６ｂの長さＬ２は、第１基板取付部材１６ａの長さＬ１よりも短くてもよい。
【００３６】
止めピン４２の形状は、第１止めピン３２ａ等の形状と同様である。また、第２基板取付部材１６ｂは、上記のとおり、１つのＬＥＤ基板のみを取り付け対象とするので、表面４０ａ上の長手方向における止めピン４２の設置位置も、任意である。
【００３７】
また、第２基板取付部材１６ｂの第１規制部材及び第２規制部材についても、第１基板取付部材１６ａの第１規制部材及び第２規制部材と比較して、構成、表面４０ａ上の配置位置、及び、回転変位の抑止原理は、同様である。さらに、第２基板取付部材１６ｂの長手方向の端部４４，４５の形状も、第１基板取付部材１６ａの端部３４，３５の形状と同様に、それぞれ、テーパ状とすることが望ましい。
【００３８】
図６は、基板取付部材１６に代わる、基板取付部材５０の形状を示す斜視図である。
【００３９】
図６（ａ）は、第１基板取付部材１６ａと同様に、基板取付部材５０を第１ＬＥＤ基板１４ａと第２ＬＥＤ基板１４ｂとを連結させる基板連結部材として機能するように使用する場合の状態を示す図である。基板取付部材５０は、全体として、長手方向の長さＬ３、幅Ｗ２及び厚さＴで表される板体であり、樹脂等の材料から形成される。
【００４０】
ここで、基板取付部材５０は、主として、長手方向の任意の位置で、かつ、幅方向に沿って形成される切り欠き部５２を有する点が第１基板取付部材１６ａと異なる。切り欠き部５２の厚さは、基板取付部材５０全体の厚さ厚さＴよりも薄い。
【００４１】
基板取付部材５０は、切り欠き部５２を境界として、第１部分５０ａと、第２部分５０ｂとを含む。長手方向について、基板取付部材５０の長さＬ３に対して、第１部分５０ａの長さはＬ４で表され、第２部分５０ｂの長さはＬ５で表される。
【００４２】
第１部分５０ａは、その表面６０ａ上に、第１止めピン６２と、第１壁部６６ａ及び第２壁部６６ｂを含む第１規制部材と、第１壁部６８ａ及び第２壁部６８ｂを含む第２規制部材とを有する。このうち、第１止めピン６２の形状は、第１止めピン３２ａ等の形状と同様である。また、第１部分５０ａの第１規制部材及び第２規制部材についても、第１基板取付部材１６ａの第１規制部材及び第２規制部材と比較して、構成、及び、回転変位の抑止原理は、同様である。さらに、第１部分５０ａの長手方向の端部６４の形状も、第１基板取付部材１６ａの端部３４，３５の形状と同様に、テーパ状とすることが望ましい。
【００４３】
第２部分５０ｂは、その表面７０ａ上に、第１止めピン７２と、第１壁部７６ａ及び第２壁部７６ｂを含む第１規制部材と、第１壁部７８ａ及び第２壁部７８ｂを含む第２規制部材とを有する。このうち、第１止めピン７２の形状は、第１止めピン３２ａ等の形状と同様である。また、第２部分５０ｂの第１規制部材及び第２規制部材についても、第１基板取付部材１６ａの第１規制部材及び第２規制部材と比較して、構成、及び、回転変位の抑止原理は、同様である。さらに、第２部分５０ｂの長手方向の端部７４の形状も、第１基板取付部材１６ａの端部３４，３５の形状と同様に、テーパ状とすることが望ましい。
【００４４】
ここで、表面６０ａ又は表面７０ａ上における、第１止めピン６２及び第１止めピン７２の設置位置は、第１基板取付部材１６ａと同様に、第１ＬＥＤ基板１４ａ及び第２ＬＥＤ基板１４ｂに予め形成されている貫通孔１４１の位置に依存する。すなわち、当該設置位置は、第１基板取付部材１６ａにおいて第１止めピン３２ａ及び第２止めピン３２ｂの設置位置を決定するのと同様に決定され得る。また、基板取付部材５０の長さＬ３も、第１止めピン６２及び第１止めピン７２の設置位置に合わせて、最低限必要とされる長さを許容するように規定される。したがって、第１止めピン６２及び第１止めピン７２を基準とすれば、切り欠き部５２は、第１の止めピン６２と第２の止めピン７２とに挟まれた領域を横切るように形成されるということができる。
【００４５】
図６（ｂ）は、基板取付部材５０を、切り欠き部５２を破断領域として分割した状態を示す図である。切り欠き部５２の厚さＴ１は、上記のとおり、基板取付部材５０全体の厚さＴよりも薄い。そのため、作業者は、第２部分５０ｂを保持しつつ、矢印方向に示すように第１部分５０ａに力を加えることにより、切り欠き部５２の部分から基板取付部材５０を破断し、第１部分５０ａと第２部分５０ｂとを別体とすることができる。このように分割された第１部分５０ａ及び第２部分５０ｂは、いずれも第２基板取付部材１６ｂと類似した形状となる。すなわち、分割された第１部分５０ａ又は第２部分５０ｂのいずれかを第２基板取付部材１６ｂと同様に用いることができる。
【００４６】
なお、分割前に切り欠き部５２であった端部について、第１部分５０ａ側の端部５２ａと、第２部分５０ｂ側の端部５２ｂとは、切り欠き部５２の切り欠き形状に基づいて、自ずとテーパ状となる。したがって、分割後に各端部５２ａ，５２ｂをテーパ加工する必要はない。
【００４７】
次に、本実施形態に係る照明器具１０と比較するため、従来の照明器具１００の構成について説明する。
【００４８】
図７は、照明器具１００の内部構成を示す斜視図である。なお、図７において、照明器具１０と同一の構成とし得るものには同一の符号を付し、説明を省略する。また、図７では、本実施形態に係る図２と同様に、第１蓋部２０からカバー１８を長手方向に引き抜いた照明器具１００の分解状態を示している。
【００４９】
ここで、複数のＬＥＤ１２を実装している第１ＬＥＤ基板１４ａや、カバー１８の構成及び形状は、本実施形態と同様であると仮定する。これに対して、照明器具１００は、特に、亜鉛鋼板等の材料で形成され、第１ＬＥＤ基板１４ａ等のＬＥＤ基板の全長に合う長さを有する基板取付板１１０を含む。
【００５０】
基板取付板１１０は、その表面上に、第１ＬＥＤ基板１４ａを取り付ける。ここで、図７では不図示であるが、第１ＬＥＤ基板１４ａには、上記本実施形態の説明でも述べたとおり、予めＬＥＤ基板取り付け用の貫通孔１４１が形成されている。そして、従来、第１ＬＥＤ基板１４ａは、貫通孔１４１を用いたネジ１２０による締結により、基板取付板１１０に取り付けられていた。
【００５１】
また、基板取付板１１０は、カバー１８に差し込まれ、第１突出部１８ｃと第２突出部１８ｄとに挟まれることにより、カバー１８に接触保持される。したがって、特に基板取付板１１０の幅は、第１突出部１８ｃと第２突出部１８ｄとに挟まれる領域を確保可能な値とすることが望ましく、例えば、第１基板取付部材１６ａの幅Ｗ２と同様とし得る。
【００５２】
次に、照明器具１０による効果について説明する。
【００５３】
本実施形態に係る照明器具１０は、光源が長手方向に配列されている基板と、基板を取り付ける基板取付部材１６と、基板取付部材１６を接触保持するカバー１８とを備える。基板は、長手方向の端部に隣設された貫通孔１４１を有する。基板取付部材１６は、基板の貫通孔１４１を含む一部の領域に接触する。
【００５４】
ここで、光源は、例えばＬＥＤ１２である。この場合、基板は、第１ＬＥＤ基板１４ａ又は第２ＬＥＤ基板１４ｂ等のＬＥＤ基板である。
【００５５】
従来、図７に示したように、ＬＥＤ基板の取り付けには、その全長に合う長さを有し、亜鉛鋼板等の材料で形成されている基板取付板１１０が用いられていた。そのため、基板取付板１１０の重量が、照明器具１００全体の重量のうち大きな比率を占めていた。これに対して、本実施形態に係る照明器具１０によれば、基板取付板１１０に代えて、ＬＥＤ基板の固定又は係合に用いられ得る貫通孔１４１を含む領域にのみ接触する基板取付部材１６が用いられる。このように規定された基板取付部材１６の長手方向の長さＬ１は、従来の基板取付板１１０の長手方向の長さよりも短くなる。これにより、基板取付部材１６の重量は、基板取付板１１０よりも減少するので、その結果、照明器具１０全体の軽量化が実現される。
【００５６】
なお、このような軽量化によれば、例えば、基板取付部材の材料費が抑えられることになり、結果として、照明器具１０の製造コストの抑制にも寄与する。また、従来の基板取付板１１０は、いわゆる板金部品であったが、本実施形態における基板取付部材１６を樹脂部品とすることで、より軽量化が図れる。
【００５７】
一方、軽量化のためと称して、従来の照明器具１００から単に基板取付板１１０を取り除くことも考えられる。しかし、ＬＥＤ基板の幅Ｗ１は、基板取付板１１０の幅Ｗ２よりも短いため、ＬＥＤ基板１４は、カバー１８の第１突出部１８ｃと第２突出部１８ｄとに到達することができない。すなわち、この場合、カバー１８の形状が予め規定されている場合に、対応することができない。これに対して、本実施形態によれば、基板取付部材１６は、カバー１８によって接触保持される程度の幅Ｗ２を確保することができるので、カバー１８の形状が予め規定されている場合でも採用可能である。
【００５８】
また、本実施形態に係る照明器具１０では、基板取付部材１６は、貫通孔１４１に係合して基板の離脱を抑止する止めピンを有する。
【００５９】
本実施形態に係る照明器具１０によれば、例えば、ＬＥＤ基板が既存である場合、基板取付部材１６は、すでにＬＥＤ基板に形成されているネジ穴を貫通孔１４１として利用して、ＬＥＤ基板を取り付けることができる。すなわち、カバー１８の他、ＬＥＤ基板も既存のものを利用する照明器具であっても、本実施形態を適用することが可能となる。換言すれば、本実施形態を適用させるために、カバー１８やＬＥＤ基板を新たに製作する必要はない。
【００６０】
また、基板取付部材１６に直接的に止めピンを設けることで、基板取付部材１６は、別途ネジを用いることなく、容易にＬＥＤ基板を取り付けることができる。
【００６１】
また、本実施形態に係る照明器具１０では、基板は、第１の基板と、第２の基板とを含む。このとき、基板取付部材は、第１の基板に形成されている貫通孔に係合して基板の離脱を抑止する第１の止めピンと、第２の基板に形成されている貫通孔に係合して基板の離脱を抑止する第２の止めピンとを有する。そして、基板取付部材は、第１の基板と第２の基板とを長手方向に連結する。
【００６２】
ここで、第１の基板は、例えば第１ＬＥＤ基板１４ａである。第２の基板は、例えば第２ＬＥＤ基板１４ｂである。特に、この場合の基板取付部材は、例えば、第１基板取付部材１６ａに相当し、第１の止めピンは、例えば第１止めピン３２ａに相当し、第２の止めピンは、例えば第２止めピン３２ｂに相当する。
【００６３】
本実施形態に係る照明器具１０によれば、照明器具１０内のＬＥＤ基板が複数存在していたとしても、基板取付部材は、それらのＬＥＤ基板を長手方向に沿って連結させることができる。これにより、例えば、作業者は、カバー１８に対する基板取付部材の差し込みや抜き出しを容易に行うことが可能となる。
【００６４】
また、本実施形態に係る照明器具１０では、基板取付部材１６は、基板を取り付ける表面上に、基板の長手方向に沿って立設し、貫通孔１４１に止めピンが係合しているときに基板の側部に内壁が対向する壁部を有する。
【００６５】
ここで、基板取付部材１６が第１基板取付部材１６ａであるとすると、例えば、止めピンは、第１止めピン３２ａに相当し、壁部は、第１規制部材を構成する第１壁部３６ａ及び第２壁部３６ｂに相当する。
【００６６】
上記のように、貫通孔１４１に第１止めピン３２ａが係合している状態では、例えば、第１止めピン３２ａの軸部３２ａ１を回転軸として第１ＬＥＤ基板１４ａが回転変位することも考えられる。これに対して、本実施形態に係る照明器具１０によれば、このように第１ＬＥＤ基板１４ａが回転変位しようとしても、第１ＬＥＤ基板１４ａの側部のいずれかと、第１壁部３６ａ又は第２壁部３６ｂの内壁のいずれかとが接触する。したがって、第１ＬＥＤ基板１４ａの回転変位が抑止される。これにより、基板取付部材１６に対するＬＥＤ基板の姿勢がより安定化されるので、作業者による基板取付部材の差し込みや抜き出しが、より容易となる。
【００６７】
さらに、本実施形態に係る照明器具１０では、基板取付部材５０は、第１の止めピン６２と第２の止めピン７２とに挟まれた領域を横切る切り欠き部５２を有する。
【００６８】
本実施形態に係る照明器具１０によれば、基板取付部材として、２つのＬＥＤ基板を連結させるものと、単に１つのＬＥＤ基板を取り付けるものとの２種類を準備する必要がない。すなわち、この構成によれば、２つのＬＥＤ基板を連結させるものとして用いる場合には、基板取付部材５０をそのまま利用する。一方、単に１つのＬＥＤ基板を取り付けるものとして用いる場合には、切り欠き部５２から基板取付部材５０を２つに分割し、分割された第１部分５０ａ又は第２部分５０ｂのいずれかを利用すればよい。
【００６９】
以上、好ましい実施形態について説明したが、本実施形態は、これ限定されず、その要旨の範囲内で種々の変形及び変更が可能である。
【符号の説明】
【００７０】
１０    照明器具
１２    光源（ＬＥＤ）
１４ａ  基板（第１ＬＥＤ基板）
１４ｂ  基板（第２ＬＥＤ基板）
１６    基板取付部材
１８    カバー
１４１  貫通孔
【図１】
2019061764.tif 000003
【図２】
2019061764.tif 000004
【図３】
2019061764.tif 000005
【図４】
2019061764.tif 000006
【図５】
2019061764.tif 000007
【図６】
2019061764.tif 000008
【図７】
2019061764.tif 000009